(57)【要約】  燃焼器（１）、冷凍機（３）、該冷凍機（３）の冷凍サイクルで冷却した流体が流れる吸熱用熱交換器（６）を具備する二酸化炭素供給装置において、前記燃焼器（１）で燃焼した場合に二酸化炭素を含む排気ガスを、前記吸熱用熱交換器（６）に通過させ冷却し、施設園芸ハウス内に供給することを特徴とする。
2014010561.tif 000002
【特許請求の範囲】
【請求項１】
燃焼器（１）、冷凍機（３）、該冷凍機（３）の冷凍サイクルで冷却した流体が流れる吸熱用熱交換器（６）を具備する二酸化炭素供給装置において、
前記燃焼器（１）で燃焼した場合に二酸化炭素を含む排気ガスを、前記吸熱用熱交換器（６）に通過させ冷却し、施設園芸ハウス内に供給する二酸化炭素供給装置。
【請求項２】
前記冷凍機（３）が、熱駆動冷凍機であって、前記燃焼器（１）での燃焼で発生した熱エネルギによって前記冷凍機（３）の冷凍サイクルを駆動することを特徴とする請求項１に記載の二酸化炭素供給装置。
【請求項３】
前記供給装置は、さらに蓄熱タンク（５）を具備することを特徴とする請求項１又は２に記載の二酸化炭素供給装置。
【請求項４】
前記蓄熱タンク（５）によって、前記燃焼器（１）での燃焼で発生する熱エネルギと前記熱駆動冷凍機（３）から発生する排熱とを回収したことを特徴とする請求項３に記載の二酸化炭素供給装置。
【請求項５】
前記冷凍機（３）の冷凍サイクルが、吸着式冷凍サイクル、又は、吸収式冷凍サイクルであることを特徴とする請求項１から４のいずれか１項に記載の二酸化炭素供給装置。
【請求項６】
前記供給装置は、前記蓄熱タンク（５）からの流体により、乾燥剤が吸着している水分を脱離する調湿・蓄熱装置（１１０）を具備することを特徴とする請求項３から５のいずれか１項に記載の二酸化炭素供給装置。
【請求項７】
送風用ファン（８）で空気を通過させて前記施設園芸ハウス内に供給する放熱用熱交換器（７）をさらに設け、
前記熱駆動冷凍機（３）を前記蓄熱タンク（５）からの流体により駆動できるようにし、かつ、前記熱駆動冷凍機（３）から発生する排熱を前記放熱用熱交換器（７）で放熱するようにする、切替弁（９ａ〜９ｄ、１０）を具備することを特徴とする請求項３から６のいずれか１項に記載の二酸化炭素供給装置。
【請求項８】
前記放熱用熱交換器（７）を、前記吸熱用熱交換器（６）の下流に設け、前記送風用ファン（８）で送風される空気は前記吸熱用熱交換器（６）を経て、前記放熱用熱交換器（７）へ流入することを特徴とする請求項７に記載の二酸化炭素供給装置。
【請求項９】
前記吸熱用熱交換器（６）を、前記蓄熱タンク（５）からの流体を流して放熱用熱交換器として機能させるようにする、切替弁（１９ａ〜１９ｄ）を具備することを特徴とする請求項３から６のいずれか１項に記載の二酸化炭素供給装置。
【請求項１０】
前記冷凍機が、燃焼器（１）であるエンジンにより圧縮駆動される、蒸気圧縮式冷凍サイクルであって、前記吸熱用熱交換器（６）が、前記蒸気圧縮式冷凍サイクルの蒸発器であり、前記燃焼器（１）で燃焼した二酸化炭素を含む排気ガスを、前記吸熱用熱交換器（６）に通過させて冷却し、施設園芸ハウス内に供給する請求項１に記載の二酸化炭素供給装置。
【請求項１１】
前記供給装置が、さらに蓄熱タンク（５）を具備し、前記蓄熱タンク（５）に、前記燃焼器（１）で燃焼した熱エネルギを蓄熱させ、その熱エネルギによって熱駆動冷凍機（３）を駆動したことを特徴とする請求項１に記載の二酸化炭素供給装置。
【請求項１２】
前記供給装置を、施設園芸ハウスの屋内に設置したことを特徴とする請求項１から１１のいずれか１項に記載の二酸化炭素供給装置。
【請求項１３】
前記燃焼器（１）の熱エネルギと光を別々に利用したことを特徴とする請求項１から１２のいずれか１項に記載の二酸化炭素供給装置。
【請求項１４】
前記燃焼器（１）で燃焼した二酸化炭素を含む排気ガスを、前記吸熱用熱交換器（６）に通過させ、前記施設園芸ハウス内の植物に供給可能な温度まで冷却することを特徴とする請求項１から１３のいずれか１項に記載の二酸化炭素供給装置。
【発明の詳細な説明】
【技術分野】
【０００１】
本発明は、施設園芸ハウス(horticultural green house)などにおいて、植物の光合成へ利用する二酸化炭素を供給するための二酸化炭素供給装置に関する。
【背景技術】
【０００２】
従来の施設園芸ハウスでは、通常、ハウス内の温度、湿度を調整するためには、ハウス内外を繋げる開閉窓で行なうとともに、植物が光合成を行うために必要な光は、太陽光や人工光を利用したりしている。さらに、外気環境にかかわらず植物に適した環境を実現するために、暖房用ボイラー、湿度調整用の加湿器等を設置していることもある。そのような施設園芸ハウスでは、光合成時に消費される二酸化炭素（ＣＯ２）を確保するためには、外気導入を利用するか、土壌等に生息する微生物が発生するＣＯ２を利用するか、工業的に生産されるＣＯ２ガスを利用するか、燃料が燃焼する際や酸化反応後に発生するＣＯ２を利用する等の方法がある。【０００３】
上述したＣＯ２供給方法にはそれぞれ課題がある。外気導入に関しては、外気導入によるＣＯ２の供給時にハウス内の環境に変化が起きる。このため、植物にストレスを与えたり、外気導入による環境調整のためのエネルギーロスが発生する。また、光合成が活発に行われる時に、ＣＯ２濃度を高めて多量にＣＯ２を消費させることにより、より植物の成長促進が進む現象が、文献等で一般に知られている。しかしながら、外気のＣＯ２量は４００ｐｐｍ程度であり、外気だけでは光合成が活発に行われる時にＣＯ２濃度を高めることができない。土壌等の微生物が発生するＣＯ２に関しては、供給元の微生物の活動次第でＣＯ２量が左右され、安定的な供給が困難である。工業的に生産されるＣＯ２ガスの利用に関しては、ハウス内の環境に左右される要因は無く所望のＣＯ２量の供給が可能であるが、一般にＣＯ２ガスをその生産所からハウスへ輸送するための輸送コストが含まれ、ＣＯ２ガスの単価は高く問題がある。しかも、輸送コストを低減するためには、ハウス側で大規模な貯蔵タンク等の設備を設置する必要があり、初期投資が高額となることや、入手先も限定されるなどの課題がある。【０００４】
一方、一般に普及している、燃料を燃焼させてＣＯ２を発生させる方法としては、特許文献１に、燃焼ガスをファンでハウス内へ供給する機器が開示されている。このような機器では、燃焼時の熱も同時にハウス内へ供給される。太陽光を利用したハウスでは、日中、太陽熱も充分過ぎる程供給されている状況の中では、ハウス内に必要なＣＯ２以外に、燃焼ガスの熱まで不要に供給されてハウス内の温度が上昇し、植物に適した環境を実現することができなくなってしまう。そこで、温度上昇を抑えるために、温度、湿度調整用の開閉窓が開放すれば、温度は低下するものの、燃焼によって供給されているＣＯ２も同時に外部に放出されてしまい、ＣＯ２濃度を高めることができなくなる。【０００５】
また、供給されるＣＯ２ガスは、燃焼熱を含んだＣＯ２となるため、発生するＣＯ２を、直接植物近傍へ供給することも困難となっている。この対策として、特許文献２には、排ガスと流体を熱交換して排ガス温度を低下させるシステムが開示されている。しかしながら、ＣＯ２と共に発生する熱を除去後は、冷却塔等で廃棄されるのみであり、燃料のもつエネルギーを有効に利用できていないという問題があった。
【先行技術文献】
【特許文献】
【０００６】
【特許文献１】特開２００４−１３５６３９号公報
【特許文献２】特開２００４−３４４１５４号公報
【発明の概要】
【発明が解決しようとする課題】
【０００７】
本発明は、上記問題に鑑み、ＣＯ２を供給する際に発生する熱を有効に利用した二酸化炭素供給装置を提供するものである。
【課題を解決するための手段】
【０００８】
上記課題を解決するために、請求項１の発明は、燃焼器（１）、冷凍機（３）、該冷凍機（３）の冷凍サイクルで冷却した流体が流れる吸熱用熱交換器（６）を具備する二酸化炭素供給装置において、前記燃焼器（１）で燃焼した場合に二酸化炭素を含む排気ガスを、前記吸熱用熱交換器（６）に通過させ冷却し、施設園芸ハウス内に供給する二酸化炭素供給装置である。【０００９】
なお、上記に付した符号は、後述する実施形態に記載の具体的実施態様との対応関係を示す一例である。
【図面の簡単な説明】
【００１０】
【図１】本発明の第１実施形態（燃焼器１がＯＮ）の概略構成図である。
【図２Ａ】本発明の第１実施形態の熱駆動冷凍機（吸着式冷凍サイクルの場合で第１吸着器１０１ｂが吸着）の概略構成図である。
【図２Ｂ】本発明の第１実施形態の熱駆動冷凍機（吸着式冷凍サイクルの場合で第２吸着器１０１ｃが吸着）の概略構成図である。
【図３】本発明の第１実施形態（燃焼器１がＯＦＦ）の概略構成図である。
【図４】本発明の第２実施形態（燃焼器１がＯＮ）の概略構成図である。
【図５】本発明の第２実施形態（燃焼器１がＯＦＦ）の概略構成図である。
【図６】本発明の第３実施形態の熱駆動冷凍機（吸収式冷凍サイクルの場合）の概略構成図である。
【図７】本発明の第３実施形態の熱駆動冷凍機（吸収式冷凍サイクルの場合）の概略構成図である。
【図８】本発明の第４実施形態の概略構成図である。
【図９】本発明の他の実施形態の概略構成図である。
【図１０】本発明の第５実施形態の概略構成図である。
【発明を実施するための形態】
【００１１】
以下、図面を参照して、本発明の一実施形態を説明する。各実施態様について、同一構成の部分には、同一の符号を付してその説明を省略する。
（第１実施形態）
本発明の第１実施形態は、施設園芸ハウス内で人口的にＣＯ２を供給させるため、燃焼器１を燃焼させてＣＯ２を含む排気ガスをハウス内に供給するものである。その際、燃焼器内では、燃焼時に発生する熱と熱交換して、温水を発生させるようになっており、その温水を熱駆動冷凍機３へ供給する。熱駆動冷凍機３は、供給された温水をエネルギにして冷水を発生させる。その発生した冷水を、今度は吸熱用熱交換器６へ供給して、ＣＯ２を含む排気ガスを冷却するものである。排気ガスの冷却は、ハウス内の植物に直接供給が可能な温度まで低下させるのが好適である。ただし、直接供給可能な温度まで冷却させなくてもよく、追加の冷却器などでさらに冷却してからハウス内の植物に供給することも可能である。上述した植物に直接供給可能な温度まで冷却する例は、あくまで一例である。
【００１２】
燃焼器１としては、燃焼専用器や暖房・給湯用のボイラー等に限らず、排ガスが活用できるものであれば良く、内燃機関、外燃機関、炭素を含む燃料の水蒸気改質を使用した燃料電池など幅広く含むものとして定義される。本発明の第１実施形態の熱駆動冷凍機３は、吸着式冷凍サイクル(adsorption refrigeration cycle)を使用した実施形態で説明するが、これに限定されずに吸収式冷凍サイクル(absorption refrigeration cycle)や、圧縮機３を使用した通常の冷凍サイクルであっても良い。ここで冷凍機とはこれらを全て含んだものとして使用される。
【００１３】
図１に示すように、本実施形態は、主に、燃焼器１と、その燃焼器１の熱エネルギを利用して吸熱できる熱駆動冷凍機３と、熱駆動冷凍機３から発生する吸熱用の冷水により、燃焼器１から放出される燃焼ガスを冷却・調湿する吸熱用熱交換器６とから構成されている。燃焼器１は、ＣＯ２を含んだ燃焼ガスを放出して施設園芸ハウス内でのＣＯ２を供給するとともに、温水を発生させる。その燃焼器１によって昇温された温水は、ラインＬ１の配管回路を通じて熱駆動冷凍機３に入力され、燃焼器１の熱エネルギを無駄なく利用して、熱駆動冷凍機３の吸着式冷凍サイクル（後述）を作動させる。さらに、二次熱交換器２は、その燃焼器１で発生する燃焼ガスから熱を回収する。
【００１４】
熱駆動冷凍機３の蒸発器１０２（図２Ａ参照）で冷却された冷水は、熱駆動冷凍機３の接続口ｅから、ラインＬ２の回路を通じて、燃焼器１から放出されるＣＯ２を含んだ燃焼ガスの冷却・調湿のために利用される吸熱用熱交換器６に供給され、熱駆動冷凍機３の接続口ｄに帰還する。蓄熱タンク５の流体が流れるラインＬ３は、二次熱交換器２、熱駆動冷凍機３の接続口ｃ、ｆを経由した後、蓄熱タンク５に帰還するよう接続される。途中、ラインＬ３には、液−液熱交換器４が設置され、熱駆動冷凍機３でラインＬ１を経由した後の温水と熱交換する。このように、ラインＬ１を経由した後の温水を、液−液熱交換器４でラインＬ３において熱回収して、蓄熱タンク５に保存する。本発明をシステム全体として構成する上では、熱回収上、蓄熱タンク５の存在は有効であるが、必ずしも蓄熱タンク５がなくても本実施形態は成立するものである。その場合には、熱駆動冷凍機３の接続口ｃ、ｆのラインを放熱用ファンなどで冷却するラインにすると良い。
【００１５】
燃焼器１によって発生したＣＯ２を含んだ燃焼ガスは、吸熱用熱交換器６で冷却されて植物に適した適温となり、送風用ファン８により施設園芸ハウス内に送風される。吸熱用熱交換器６の下流には、放熱用熱交換器７が設置され、ファン８によって送風される空気は吸熱用熱交換器６を経て、放熱用熱交換器７へ流入する。
【００１６】
熱駆動冷凍機３は、利用した温水の熱と吸着式冷凍サイクルが吸熱した熱を、冷凍機自体の排熱として排出する必要がある。そこで、蓄熱タンク５内にある流体を、ラインＬ３で冷却水として利用するものである。このラインＬ３の冷却水は、熱駆動冷凍機３へ投入する前に、燃焼器１で取りきれなかった熱を排気ガスより回収するために設置した二次熱交換器２に通水し、排気ガス温度を下げつつ熱回収も行う。排気ガスの熱を回収した後に熱駆動冷凍機３内の排熱を回収し、その後、熱駆動冷凍機３で利用後の温水と液−液熱交換器４を介して熱交換を行い、高温流体として蓄熱タンク５へ格納する。蓄熱タンク５の熱は、後述するように、暖房や調湿に利用するために放熱させるための放熱用熱交換器７において利用することができる。本実施形態は、吸熱＋調湿＋蓄熱のモードと、調湿＋暖房のモードを切り替えるための三方弁９ａ〜９ｄ、四方弁１０を備えた構成となっている。三方弁９ａ〜９ｄ、四方弁１０は、複数の開閉弁で構成することも可能である。
【００１７】
（吸着式冷凍サイクル）
本実施形態の熱駆動冷凍機３である吸着式冷凍サイクルを、図２Ａ、２Ｂを参照して説明する。なお、この吸着式冷凍サイクルは、一例として例示するものであって、一般的な周知の吸着式冷凍サイクルであれば、本実施形態において適用可能である。
図２Ａは、本実施形態の吸着式冷凍サイクルの第１吸着器１０１ｂが吸着工程、第２吸着器１０１ｃが脱着工程(desorbed process)として作動している図である。一方、図２Ｂは、四方弁１０５ａ、１０５ｂが９０°切り替わって、第２吸着器１０１ｃが吸着工程、第１吸着器１０１ｂが脱着工程として作動している図である。
【００１８】
この吸着式冷凍サイクルは、第１吸着器１０１ｂ、凝縮器１０３、第２吸着器１０１ｃ、及び、蒸発器１０２が順次環状に配管接続されて、冷媒を循環させる。１０６ａ〜１０６ｃは流体用ポンプである。この流体としては、一般的には水が使用されるが、水にエチレングリコール系の不凍液を混合した流体などを使用しても良い。第１吸着器１０１ｂ、第２吸着器１０１ｃは、冷却されると気体状態の冷媒を吸着し、加熱されると冷媒を脱離する吸着剤が充填された第１吸着コア１０１ａ、第２吸着コア１０１ｄをそれぞれ収容している。吸着剤が周囲の蒸気を吸着し、それにより、蒸発器１０２内の液体状態の冷媒が蒸発し、この蒸発時に蒸発器１０２内部を流れるラインＬ２の流体から熱を奪い、冷水を発生するように構成されている。
【００１９】
本冷凍サイクルは、蒸発器１０２の出口ポート１１１から、第１吸着器１０１ｂを経て、凝縮器１０３の入口ポート１１２まで延びる配管と、凝縮器１０３の出口ポート１１３から、第２吸着器１０１ｃを経て、蒸発器１０２の入口ポート１１４まで延びる配管とを備えている。蒸発器１０２の出口ポート１１１から、第１吸着器１０１ｂに至る途中には、第１吸着器１０１ｂ側の圧力が、蒸発器１０２側の圧力より所定値以下に低下した際に開弁する逆止弁構造の蒸気用バルブ（逆止弁）１０４ａが設置されている。この逆止弁１０４ａは、蒸発器１０２から第１吸着器１０１ｂへ向かう冷媒の流通を許可すると共に、その反対方向の冷媒の逆流を阻止する。
【００２０】
第１吸着器１０１ｂから、凝縮器１０３の入口ポート１１２に至る途中には、第１吸着器１０１ｂ側の圧力が所定値（凝縮器１０３側の圧力よりも高圧）以上に上昇した際に開弁する逆止弁構造の蒸気用バルブ（逆止弁）１０４ｃが設置されている。この逆止弁１０４ｃは、第１吸着器１０１ｂから凝縮器１０３へ向かう冷媒の流通を許可すると共に、その反対方向の冷媒の逆流を阻止する。
【００２１】
同様に、蒸発器１０２の出口ポート１１４から、第２吸着器１０１ｃに至る途中には、第２吸着器１０１ｃ側の圧力が、蒸発器１０２側の圧力より所定値以下に低下した際に開弁する逆止弁構造の蒸気用バルブ（逆止弁）１０４ｂが設置されている。この逆止弁１０４ｂは、蒸発器１０２から第２吸着器１０１ｃへ向かう冷媒の流通を許可すると共に、その反対方向の冷媒の逆流を阻止する。
【００２２】
第２吸着器１０１ｃから、凝縮器１０３の入口ポート１１３に至る途中には、第２吸着器１０１ｃ側の圧力が所定値（凝縮器１０３側の圧力よりも高圧）以上に上昇した際に開弁する逆止弁構造の蒸気用バルブ（逆止弁）１０４ｄが設置されている。この逆止弁１０４ｄは、第２吸着器１０１ｃから凝縮器１０３へ向かう冷媒の流通を許可すると共に、その反対方向の冷媒の逆流を阻止する。
【００２３】
第１吸着コア１０１ａ、第２吸着コア１０１ｄは、周知の熱交換器と、この熱交換器のチューブおよびフィン等の熱交換部の表面に取り付けられた多数の吸着剤とによって構成されている。熱交換器は、加熱媒体または冷却媒体が流通する複数のチューブ、これらのチューブの一端が接合されて加熱媒体または冷却媒体の分配または集合を行うヘッダタンク、および、各チューブの表面に接合された多数のフィン等を有する。吸着剤は、冷却されることによって冷媒蒸気を捕捉（吸着）すると共に、加熱されることによって吸着していた冷媒を解離（脱着）する機能を備えている。
【００２４】
本実施形態では、吸着剤として、例えば、主な骨組みとして、酸化アルミニウム、リン酸、酸化珪酸からなるものや、ゼオライト、シリカゲル、活性アルミナ、活性炭を採用している。ここで、第１吸着コア１０１ａ、第２吸着コア１０１ｄに加熱媒体を供給することで、第１、第２吸着コア１０１ａ、１０１ｄの吸着剤が吸着していた冷媒が脱離し、蒸気として放出される。
【００２５】
凝縮器１０３の側部下方には、凝縮器１０３の側面で開口した出口ポート１１５が形成されており、蒸発器１０２の側部下方には、蒸発器１０２の側面で開口した入口ポート１１６が形成されており、凝縮器１０３の出口ポート１１５に配管１０７を介して接続されている。ラインＬ３からの冷却水で凝縮器１０３内の冷媒が凝縮し、凝縮器１０３の出口ポート１１５から重力や差圧で蒸発器１０２の入口ポート１１６に流入して帰還するようになっている。これにより、第１吸着器１０１ｂ又は第２吸着器１０１ｃが、脱着工程として作動する場合に、放出された水蒸気が凝縮器１０３で液化し、配管１０７を経て蒸発器１０２に供給される。
【００２６】
次に、本実施形態の吸着冷凍サイクルの作動を説明する。本実施形態の吸着冷凍サイクルは、図２Ａのように、第１吸着器１０１ｂが吸着工程、第２吸着器１０１ｃが脱着工程として作動する。次に、図２Ｂのように、四方弁１０５ａ、１０５ｂの弁位置が図２Ａに示す状態から９０°切り替わって、第２吸着器１０１ｃが吸着工程、第１吸着器１０１ｂが脱着工程として作動する。四方弁１０５ａ、１０５ｂの弁位置は、電子制御装置(以下、ＥＣＵと呼称する)によって制御される。ＥＣＵは、熱駆動装置３の運転中に、所定の制御周期毎に、図２Ａ、図２Ｂに示す四方弁１０５ａ、１０５ｂの弁位置となるよう交互に切替え、その切替制御を繰り返し実行する。
【００２７】
まず、図２Ａにおいて、第１吸着器１０１ｂが吸着工程、第２吸着器１０１ｃが脱着工程として作動している。前工程で第１吸着コア１０１ａの水蒸気が放出されて脱着が完了した状態から、接続口ｃ、ｆに流れる冷却水で冷却されることで、第１吸着コア１０１ａの水蒸気吸収が始まり、第１吸着器１０１ｂ内は減圧される。やがて逆止弁１０４ａが開となると、第１吸着コア１０１ａの水蒸気の吸着につれ、蒸発器１０２内では冷媒の気化が進行するので、ラインＬ２の接続口ｄから流入する管内の水は急速に熱を奪われ冷却される。
【００２８】
第１吸着コア１０１ａの吸着が飽和する前に、ＥＣＵによって制御されて、四方弁１０５ａ、１０５ｂが９０°切り替わり、図２Ｂの状態に切替えられる。今度は、第２吸着コア１０１ｄの脱着が完了しているので、第２吸着コア１０１ｄの水蒸気吸着が始まり、第２吸着器１０１ｃ内は減圧される。やがて逆止弁１０４ｂが開となると、蒸発器１０２内では冷媒の気化が進行する。
【００２９】
一方、このとき、第１吸着コア１０１ａには、ラインＬ１から接続口ｂを経て高温の温水が流入して、第１吸着コア１０１ａを加熱する。これにより、第１吸着コア１０１ａから水蒸気が放出され、その圧力で逆止弁１０４ｃが開となる。凝縮器１０３に水蒸気が凝縮されることにより、第１吸着コア１０１ａの脱着が完了して、吸着工程での吸着容量が確保される。このようにして、図２Ａの状態と図２Ｂの状態が、ＥＣＵによって、所定の制御周期毎に繰り返し実行されるよう制御される。この制御によって、ラインＬ２の接続口ｄから流入する管内の水は常時熱を奪われ冷却され、排気ガスの冷却のために利用される吸熱用熱交換器６に、継続的に冷水が供給され、燃焼器１で発生する排気ガスの温度を低下させる事が可能となる。
【００３０】
以上説明したように、本実施形態によれば、施設園芸ハウス内で人口的にＣＯ２を供給させるため、燃焼器１を燃焼させてＣＯ２を含む排気ガスを、施設園芸ハウス内に供給する。その際、燃焼器１内では、燃焼時に発生する熱と熱交換して温水を発生させるようになっており、その温水を熱駆動冷凍機３へ供給する。熱駆動冷凍機は温水をエネルギにして冷水を発生させることが可能となり、その発生した冷水を吸熱用熱交換器６へ供給することが可能となる。
【００３１】
以上のように、燃焼器１で発生する熱を回収、及び、利用しながら、熱駆動冷凍機３を作動させる。そして、発生するＣＯ２を含む排気ガスを、自身が発生する熱エネルギを用いて冷却することで、植物に直接供給が可能な温度まで低下させることが可能となる。発生する熱は極力回収されて蓄熱される。このため、本実施形態を施設園芸用ハウスにおいて利用した場合は、日中の施設園芸ハウス内温度上昇を抑制することができるので、温度調節等で作動する換気窓の開閉が抑制される。その結果、通常の燃焼式ＣＯ２発生機と比較し、より少ない燃料で施設園芸ハウス内のＣＯ２濃度を維持することが可能である。また、同等の燃料消費であっても、よりＣＯ２濃度を高めることができる効果がある。
【００３２】
本実施形態は、園芸に利用するため、上記工程は光合成が行われる時に作動し、その間に発生する熱は、熱駆動冷凍機３の駆動を行うとともに、蓄熱タンク５内にて保管される。蓄熱タンクに保管される熱は、冷凍機の能力によっては、燃焼器１が発生する熱以外にも、施設園芸ハウス内の熱も回収しながら蓄熱させることも可能である。
【００３３】
次に、光合成が行われずＣＯ２を供給しなくても植物の生育に支障が出ない場合に、ハウス内の暖房や除湿を行うモードについて、図３を参照して説明する（図３は、三方弁９ａ〜９ｄと四方弁１０の設定位置以外、図１と同じ構成である。蓄熱タンク５の流出口は図面において上方となり、図１とは反対に変更されている。）。図３の実施形態においては、送風用ファン８から送風される空気は、吸熱用熱交換器６、放熱用熱交換器７の順に通過するように構成されているが、必ずしもこれに限定されずに、放熱用熱交換器７のみを任意の場所に設置して、除湿せずにハウス内に温風を送風することも可能である。
除湿暖房を行う場合には、図１の三方弁９ａ〜９ｄと四方弁１０を切替えて図３のように設定し、通常は燃焼器１をＯＦＦにする。蓄熱タンク５内の温水を、タンク上部から熱駆動冷凍機３の接続口ｂに供給し、吸着式冷凍サイクルを作動させる。
【００３４】
これにより、熱駆動冷凍機３で発生した冷水を吸熱用熱交換器６に送り、送風用ファン８から送風される空気を冷却する。さらに、熱駆動冷凍機３で発生する排熱を含む冷却水（所定温度の温水）は、熱駆動冷凍機３の接続口ｆから流出して、放熱用熱交換器７へ供給される。これにより、蓄熱タンク５に蓄えられた熱量により、送風用ファン８で施設園芸ハウス内に送られる空気を、除湿暖房することが可能となる。温水熱量を使用した流体は、図上、蓄熱タンクの下部に戻り、蓄熱タンク５内の温水温度が低下していき、熱駆動冷凍機３が作動出来ない温度域になっていくが、放熱用熱交換器７には、熱駆動冷凍機３を介して蓄熱熱量を含む流体を供給することが可能であり、施設園芸ハウス内温度と流体が、同等温度になるまで暖房は可能となる。
なお、図１０の第５実施形態に示すように、第１実施形態の流路を変更しても良い。この実施形態では、図３に示される蓄熱タンク５の上部開口から四方弁１０を経由して熱駆動冷凍機３の開口部ｂに接続する流路を、図１０の如く、四方弁１０から燃焼器１の入口に接続させ、燃焼器１を経由して熱駆動冷凍機３の開口部ｂに接続する流路に変更した例である。それ以外は、第１実施形態と同様である。
この図１０の第５実施形態の構成により、除湿暖房時、蓄熱タンク５内に蓄えられた熱量が低下した場合でも、燃焼器１をＯＮにすることで、蓄熱タンク５内の蓄熱量を再び増大させることができる。従って、第１実施形態に比べ、より長時間の除湿暖房を可能とすることができる。
【００３５】
本実施形態によれば、ＣＯ２供給のために発生する熱は有効に利用されることになる。そして、施設園芸ハウス内に別に設置されている暖房機器や除湿機器の消費エネルギを削減することが可能となり、施設園芸ハウスで利用するエネルギを有効に利用することが可能となる。また、施設園芸ハウス内を密閉した状態で調湿することで、除湿が可能となる。従って、外気導入と暖房を併用しながら除湿する方式に比較して、暖房エネルギを低減することができる。しかも、外気導入等で植物に害のある昆虫の侵入する確率も低減が可能となる。
ＣＯ２及び熱を施設園芸ハウス内で利用するためには、システム全体は、施設園芸ハウス内に設置することが望ましく、特に蓄熱タンク５を屋内に設置することで、タンク外壁からの放熱、例えば、夜間等の気温低下時に徐々にタンク外部へ放熱される熱も、施設園芸ハウス内の加温に寄与させることができる。燃焼器１に関しては燃焼時に光も放出しているため、ＣＯ２を含む排気ガスと光を同時に利用するようにしても良い。
【００３６】
（第２実施形態）
第２実施形態は、図４、５に示すように、施設園芸ハウスへ、日中でも加湿を行うことを可能とするため、調湿・蓄熱装置１１０を付設した実施形態である。温水が調湿・蓄熱装置１１０内に流れると、乾燥剤が水分を脱離するようにしている。以下、図４、５を参照して第２実施形態を説明する。図４では、施設園芸ハウスに供給する冷却したＣＯ２を含む排気ガスを供給するために、図１の第１実施形態と同じく、燃焼器１をＯＮとし、熱駆動冷凍機３を作動させる。図５では、燃焼器１、熱駆動冷凍機３をＯＦＦにした場合を示している。
【００３７】
図４では、図１の第１実施形態と同じく、燃焼器１をＯＮとし、蓄熱タンク５から出た流体は、図１と同じく二次熱交換器２を通りながら、接続口ｃから熱駆動冷凍機３を通る。熱駆動冷凍機３内の回路構成は、図２、３と同じである。その後、熱駆動冷凍機３の接続口ｄから流出した流体は、液−液熱交換器４で熱交換しながら温度上昇し、後述する調湿・蓄熱装置１１０を通り、蓄熱タンク５に戻る。施設園芸ハウスに、冷却したＣＯ２を含む排気ガスを供給する場合は、図１の第１実施形態と同様である。効果についても同様である。
【００３８】
第２実施形態は、上述したように、施設園芸ハウスに日中の加湿を行うための調湿・蓄熱装置１１０を付設している。調湿・蓄熱装置１１０は、水分を吸着脱離する乾燥剤を利用しており、温水が装置１１０内に流れると乾燥剤が加熱され、乾燥剤は吸着していた水分を脱離して行く。この脱離した水分を、送風ファン８ｂで供給することで、ハウス内を加湿することが可能となる。
次に、調湿・蓄熱装置１１０での水分の脱離が完了し、蓄熱タンク５にも蓄熱が完了した状態では、三方弁１９ａ〜ｄの位置を、図４（燃焼器１：ＯＮ）から図５（燃焼器１：ＯＦＦ）に示すように切替えて使用することができる。
【００３９】
図５において、吸熱用熱交換器６は、放熱用ポンプ１７が作動することによって、蓄熱タンク５の上部（図上）から流出される温水が供給される。すると、この熱交換器６は、図４での吸熱機能ではなく、放熱用熱交換器として機能する。そして、送風ファン８ａから送風される空気は、熱交換器６を通過することとで温風となってハウス内に供給される。このような温風暖房が、蓄熱タンク５の蓄熱分可能となる。なお、図５の場合には、放熱用ポンプ１７が作動しないと熱交換器６に流体が巡回しない。一方、図４の場合には、熱駆動冷凍機３内のポンプ１０６ｃ（図２Ａ）によって、熱交換器６に流体が巡回可能である。さらに、図５において、調湿・蓄熱装置１１０に送風ファン８ｂを作動させることで、装置１１０自体の熱容量、乾燥剤自体の熱容量、吸湿時に発生する吸着熱を利用した暖房も可能となる。
【００４０】
また、調湿・蓄熱装置１１０は、乾燥剤に送風することで以下の効果がある。一般的に、乾燥剤は、乾燥剤に供給される気体の水分を吸着しながら発熱するが、発熱状態では乾燥剤の水分吸着量が低下してしまう。そこで、送風ファン８ｂを駆動して、空気を乾燥剤に流入させるよう送風する。この送風により、乾燥剤の吸着時に発生する熱は放熱されるため、乾燥剤の水分吸着容量を確保することができる。従って、乾燥剤の水分吸着容量を確保しながら乾燥温風を送出し、しかも、調湿する場合には、ハウス内の除湿が可能となる。上記乾燥剤の特性から、送風量を調整することで、温風温度や除湿速度の調整は可能となる。乾燥剤は、シリカゲル、ゼオライト活性炭、アルミナ、金属酸化物、生石灰、塩化カルシウム、臭化リチウム、合成樹脂等、無機系、有機系の物質を利用すると良い。
【００４１】
（第３実施形態）
図６、７の第３実施形態は、熱駆動冷凍機３を吸収式冷凍サイクルにした実施形態である。その他は、第１、２実施形態と同様である。すなわち、図１、３〜５における熱駆動冷凍機３の接続口ａ〜ｆは、図６、７の接続口ａ〜ｆに連結している。図６、７において、熱駆動冷凍機３内の接続口ｃ−ｆのラインを、並列にしたものが図６であり、直列にしたものが図７である。吸収式冷凍サイクルは、周知の吸収力の高い液体（吸収液、水−臭化リチウム、アンモニア−水など）に吸収器２０１で冷媒を吸収させて発生する低圧によって、蒸発器２０２の冷媒を気化させて低温をつくる冷凍機である。
【００４２】
図６を参照して説明すると、冷媒を低圧の蒸発器２０２で蒸発させ、ラインＬ２（ｄ〜ｅ）において冷水・冷液をつくり、蒸発冷媒は吸収器２０１で吸収液に吸収させる。冷媒を吸収した吸収液は、再生器(regenerator)２０３で熱を加え冷媒を蒸発分離して、その濃溶液は減圧弁２０５を経て再び吸収器２０１に戻す。一方、蒸発分離した冷媒は、凝縮器２０４で冷却して液化し、減圧弁２０６を経て再び蒸発器２０２で吸熱に使用する。図６の実施形態は、熱駆動冷凍機３内の接続口ｃ−ｆのラインを、凝縮器２０４と吸収器２０１に流れるように並列に分岐したものであり、図７の実施形態は凝縮器２０４と吸収器２０１に直列に流れるように連結したものである。各構成要素を流れる冷却水の温度等により適宜選択すればよい。効果についても第１実施形態と同様である。
【００４３】
以上説明したように、熱駆動冷凍機３は、吸着式冷凍サイクルでも吸収式冷凍サイクルでもよく、吸着式冷凍サイクルの場合には、作動熱源温度をより低くすることができる。
【００４４】
（第４実施形態）
図８の第４実施形態は、エンジン駆動式冷凍機（エンジンの回転によりベルト伝動で圧縮機を駆動）を使用した実施形態である。ＣＯ２を発生する燃焼器としてのエンジン１と、そのエンジンにより駆動される圧縮機２２を有する実施形態である。この圧縮機２２により、冷凍サイクルを形成するように凝縮器２５と膨張弁２４と吸熱用熱交換器（蒸発器）６が配管で接続されている。この冷凍サイクルの凝縮器２５と熱交換するために熱交換器２３が設置されている。一例として、蓄熱タンク５、エンジン排気ガスから熱回収する二次熱交換器２、熱交換器２３、エンジン１の冷却部、調湿・蓄熱装置１１０とは、この順序で、流体回路Ｆで繋がれており、三方弁２９ａ〜２９ｄにて流路を切替えている。これらの接続順序は、二次熱交換器２、熱交換器２３、エンジン１の冷却部等の温度を考慮して適宜設定すればよく、図８の実施形態に限定されるものではない。
【００４５】
本実施形態ではエンジン１から得られる動力で圧縮機２２を回し、蒸気圧縮式冷凍サイクルを作動させることで冷熱を得る。エンジン１からは燃料が燃焼した時に発生するＣＯ２を含んだ排気ガスが発生する。その排気ガスに含まれた熱は、排気熱回収器（二次熱交換器２）で回収されるとともに、熱交換器２の下流側の吸熱用熱交換器（蒸発器）６でも、上記冷凍サイクルで発生する吸熱を利用して回収される。これにより、排気ガスは冷却される。蓄熱タンク５の流体は、流体回路Ｆにおいて、二次熱交換器２で熱回収するとともに、その下流側で、冷凍サイクルの凝縮器２５で冷凍サイクルから放熱される熱を熱交換器２３で回収し、その後、エンジン冷却水としてエンジン内部に流され熱回収する。
【００４６】
調湿・蓄熱装置１１０では、第２実施形態と同様に加湿（除湿）を行い、蓄熱タンク５へ帰還する。図８の状態では、調湿・蓄熱装置１１０は、タンク５へ帰還する流体の熱によって、装置１１０が備える乾燥剤が加熱され、吸着していた水分を放出される。そして、送風ファン８ｂからの空気を加湿する。
蓄熱タンク５の蓄熱、及びハウス内へ所望のＣＯ２量の供給が完了している場合には、三方弁２９ａ、２９ｂを切替え（９０°右回り）、蓄熱タンク５と放熱用熱交換器７とを連結して、蓄熱タンク５内の温水を流すことで暖房を行うことが可能となる。上記回路では図４、５の第２実施形態と同様に、別途調湿・蓄熱装置１１０が取り付けてあるので、タンク５の温水流路が装置１１０をバイパスするよう三方弁２９ｃ、２９dを切替え、送風ファン８ｂで送風することによって、除湿も行う。
なお、動力源は内燃機関、外燃機関を問わず、また炭素を含む燃料を使用する燃料電池でも可能である。
図９の実施形態では、蓄熱タンク５に高温の温水を蓄熱して、それによって熱駆動冷凍機３を作動させる。熱駆動冷凍機３の接続口ｃ、ｆのラインは、施設園芸ハウス内で放熱用熱交換器をファン８ｃで冷却している（ハウス外で冷却しても良い）。それ以外においては、第１、２実施形態と同様である。この実施形態では、燃焼器１で発生した熱（すなわち熱エネルギ）を蓄熱タンク５に温水という形態で蓄熱させたものであることは言うまでもない。
【符号の説明】
【００４７】
１    燃焼器
３    冷凍機
５    蓄熱タンク
６    吸熱用熱交換器
【図１】
2014010561.tif 000003
【図２Ａ】
2014010561.tif 000004
【図２Ｂ】
2014010561.tif 000005
【図３】
2014010561.tif 000006
【図４】
2014010561.tif 000007
【図５】
2014010561.tif 000008
【図６】
2014010561.tif 000009
【図７】
2014010561.tif 000010
【図８】
2014010561.tif 000011
【図９】
2014010561.tif 000012
【図１０】
2014010561.tif 000013
【国際調査報告】
2014010561.tif 000014
2014010561.tif 000015
2014010561.tif 000016
2014010561.tif 000017